(57)【要約】【課題】  精度の高い個人の感情と性格を数値的に判定し、ユーザー毎に嗜好推論できる評価システムを提供する。【解決手段】  人体２の感情や行動から現れる体内エネルギー状態を判定し電気信号に変換する入力部８と、入力部８に接続され電気信号を生体理論９に基づき、複数のカラーに対応させて数値化する色辞書１１と、色辞書１１から出力する複数の色情報１２を相互に加算して、この色情報に対応する数値に基づく色相演算結果を演算出力する色相演算部１３と、色相演算部１３に接続され色相演算結果に基づいて、基本カラー３と動的カラー４に対応する色相系情報１５を出力する出力部１４と、を備える。【選択図】  図１
2005128864.tif 000002
【特許請求の範囲】
【請求項１】
人体の感情や行動や精神から現れる体内エネルギー状態を判定し電気信号に変換する入力部と、
前記入力部に接続され前記電気信号を生体理論に基づき、複数のカラーに対応させて数値化する色辞書と、
前記色辞書から出力する複数の色情報を相互に加算して、この色情報に対応する数値に基づく色相演算結果を演算出力する色相演算部と、
前記色相演算部に接続され前記色相演算結果に基づいて、人体が有する基本カラーと現時点の人体に対応する動的カラーを出力する出力部と、
を備えることを特徴とする人体カラーの数値的評価システム。
【請求項２】
前記色辞書は、人体の５臓器に対応する少なくとも５つのカラーに対応させて前記電気信号を数値化することを特徴とする請求項１に記載の人体カラーの数値的評価システム。
【請求項３】
前記出力部は、少なくとも前記人体の健康、感情、知性、精神状態、及び欲求の５つのパラメータを推測する色相系情報を出力することを特徴とする請求項１に記載の人体カラーの数値的評価システム。
【請求項４】
前記色辞書は、赤色情報、緑色情報、及び青色情報を含むＲＧＢ信号により複数の色波
長に対応させて前記電気信号を数値化することを特徴とする請求項１に記載の人体カラーの数値的評価システム。
【請求項５】
前記入力部、色辞書、色相演算部、及び出力部により構成されるコンピュータシステムによって実行されることを特徴とする請求項１乃至請求項４の何れか１項に記載の人体カラーの数値的評価システム。
【請求項６】
ユーザが入力した所定言語表現をカラーチャート番号に対応させ、色識別信号へ変換し色辞書へ転送する色識別工程と、
前記色辞書から出力する複数の色情報を相互に加算してから、該色情報に対応する数値により除算して色相演算結果を出力する色相演算工程と、
前記色相演算結果に基づき前記所定言語表現のユーザイメージをグループ化し、言葉辞書に対応させて前記ユーザの体内バランス状態を数値的に評価する解析工程と、
を備えることを特徴とする人体カラーの数値的評価方法。
【請求項７】
音声表現上の基本的な構成要素である音相基として、発音最小単位以外にも言語特有の発声手法や発声器官動作上の特徴である調音種を分析し、各調音種が単独またはその組合わせとして有する言語固有のイメージを統計的手法によって確定及び数値化し、所定言語表現の音声表現全体のイメージをグループ化し前記ユーザの体内バランス状態を数値的に表現することを特徴とする請求項６に記載の人体カラーの数値的評価方法。
【発明の詳細な説明】
【技術分野】
【０００１】
本発明は、言葉の表現や体内の基本カラーを数値化し、基本カラーと動的カラーに対応する色相系情報を出力する人体カラー数値的評価システムに関する。
【背景技術】
【０００２】
例えば、従来のイメージ評価システムは、名称等の言語表現の音声上イメージを評価する上で、発音最小単位などの音相基を「明暗（陽・陰）」「強弱（高けい性・低けい性）」といった指標で数値的に評価するが、これには相当に大掛かりな調査が必要であり、言語中の感情語を取出して「明暗」「強弱」に分類し、発音最小単位などの音相基がどこで多く使用されているかを調べて統計的手法に基づいてその傾向を数値的に表現していた。
【０００３】
このイメージ評価システムは、永年にわたる日本語における感情語の分類・評価に基づいて発音最小単位などの音相基がもっている「明暗」の傾向である±Ｂ値（Brightness（輝性））、「強弱」の傾向である±Ｈ値（Hardness）を求めて整理していた（特許文献１参照。）。
【特許文献１】特開２００２−２０４１５３号公報（第００４１段落、表１参照）
【発明の開示】
【発明が解決しようとする課題】
【０００４】
しかしながら、従来のイメージ評価システムは、感情語の分類・評価に基づく音相分析で新商品のネーミング分析、子供やペットの名称診断、名前による性格診断占い、ゲームキャラクタのパラメータ設定、メールの文章から言葉を切出して送信者の気分を判断し、現在の性格や感情からイメージ評価を実行していたが、より精度の高い個人の感情と性格を数値的に判定し、ユーザー毎に嗜好推論できる評価システムが長年切望されていた。
【０００５】
また、ユーザとの会話（又は通信）を通じて、ユーザの感情と性格を判定し、ユーザの発言内容に即したメッセージを発信させるという評価システムも待ち望まれている。
【０００６】
本発明は、上記課題を解決するものであり、その目的は、個人毎に異なる感情と性格を数値的に評価して、その人の健康、感情、知性、精神状態、欲求、人間関係などをコンピュータを用いて推論し、個別的な対応がとれるような人体カラーの数値的評価システムを提供することにある。
【課題を解決するための手段】
【０００７】
上記目的を達成するために、本発明の第1の特徴は、例えば、図１に示すように、人体２の感情や行動や精神（マインド）から現れる体内エネルギー状態を判定し電気信号に変換する入力部８と、入力部８に接続され電気信号を生体理論９に基づき、複数のカラーに対応させて数値化する色辞書１１と、色辞書１１から出力する複数の色情報１２を相互に加算して、この色情報に対応する数値に基づく色相演算結果を演算出力する色相演算部１３と、色相演算部１３に接続され色相演算結果に基づいて、人体が有する基本カラー３と現時点の人体に対応する動的カラー４を出力する出力部１４と、を備える人体カラーの数値的評価システムであることを要旨とする。
【０００８】
本発明の第２の特徴は、例えば、図６に示すように、ユーザが入力した所定言語表現（例えば「激しい」）をカラーチャート番号に対応させステップＳＴ４５（以下、「ステップ」をＳＴと略記する。）、色識別信号へ変換し色辞書へ転送する色識別処理工程ＳＴ４６と、色辞書から出力する複数の色情報を相互に加算してから、該色情報に対応する数値により除算して色相演算結果を出力する色相演算工程ＳＴ４７と、色相演算結果に基づき所定言語表現のユーザイメージをグループ化し、言葉辞書に対応させてユーザの体内バランス状態を数値的に評価する解析工程ＳＴ４８と、を備える人体カラーの数値的評価方法であることを要旨とする。
【０００９】
このように構成すると、ユーザが使用する単語や言い回し、興味のある物品、好きな店舗、日々の行動パターン、時間の過ごし方、仲間の見つけ方などを生体理論に基づき分析し、各ユーザを色に区分けして、人の体質から感性の方向性を予測することができ、身体と密接に結びついている人間の心を数値的に評価することができる。
【発明の効果】
【００１０】
本発明の人体カラーの数値的評価システムによれば、人体の体内感情や行動から現れるエネルギー状態を検知し生体理論を応用した色辞書により、ユーザの性格をカラーで分類することができるので、各々のユーザに合致した対応を提供することができる。
【発明を実施するための最良の形態】
【００１１】
図１は本発明の実施の形態である人体カラーの数値的評価システム１（以下、単に「評価システム」と略記する。）の模式的な系統図である。例えば、評価システム１は、音声情報５、文章情報６、オーラチェック情報７などを電気信号に変換する入力部８を有する。
【００１２】
本実施の形態の人体カラーは、例えば、人体２と密接に結びついているベースカラーとしての基本カラー３と、何等かの事象（イベント）に応答して次の感情に移行する段階で発生する動的カラー４を含む、脳科学上の生体理論に基づくマインドカラーである。
【００１３】
入力部８は、人体のエネルギー状態を示す各種情報を評価システム１で演算処理できる電気信号に変換する手段であれば、キーボードや、マウスや、音声入力装置や、画像入力装置や、通信回線や、人体電流測定装置や、人体静電気測定装置や、赤外線測定装置などの手段を用いても構わない。
【００１４】
色辞書１１は、入力部８から電気信号を受信し、生体理論９又は音相理論１０の何れか一方、若しくは生体理論９及び音相理論１０の双方に基づき複数のカラーに対応させて数値化し、色相演算部１３へ複数の色情報１２を送信する。
【００１５】
色相演算部１３は、複数の色情報１２を相互に加算して、この色情報に対応する数値に基づく色相演算結果を演算出力する。例えば、黄色の二進数「１０１００２」とオレンジ色の二進数「１００３０１」とを加算して、２色の色情報に対応する数値としての十進数「２」で除算して色相演算結果を出力することができる。
【００１６】
色相演算部１３に接続された出力部１４は、色相演算結果に基づいて、人体２の基本カラー３と動的カラー４に対応する色相系情報１５を出力する。この色相系情報１５は、論理演算処理手段により人体２の健康、感情、知性、精神状態、欲求の少なくとも５つの人体パラメータや、その他人間関係のなどを推論させることができる複数の色情報である。
【００１７】
このように構成する評価システム１は、例えば、言葉の表現と人体エネルギーからその人物の感情と性格を数値的に判定することができ、個々人ごとに嗜好を推論して希望するであろう言葉、サービス、環境、商品などを提供して対応することができる。
【００１８】
ここで、本実施の形態の生体理論は、人体２の体質から完成の方向性を予測する手段の構成要件の１つである。人間の心は、身体と密接に結びついているので、例えば、怒りっぽい人は、何等かの事象に対し怒りの感情を刺激するホルモンが最も素早く分泌される体質であるというマインドカラーを体系化した理論である。
【００１９】
また、怒りっぽい人の体質は、自然科学的に肝臓細胞の活性度が高く、お酒には強いが肝臓の障害を抱え易いことが生体理論で立証されている。同様に、肝臓は怒り、腎臓は恐れ、肺は悲しみ、脾臓は憂い、心臓は喜びを誘発する少なくとも５つの臓器を５つのカラーに対応させる生体理論の色辞書を構成することもできる。
【００２０】
言い換えると、恐れる人は腎臓の活性度が高く、悲しむ人は肺の活性度が高く、憂いの人は脾臓の活性度が高く、喜ぶ人は心臓の活性度が高く、これら感情を刺激するホルモンが最も素早く分泌される体質であることも生体理論で立証されている。
【００２１】
このようなホルモンを含む体内バランスは、例えば、掌や足裏のツボ温度、帯電する静電気、電流などを測定装置を用いて推測することができ、ツボを刺激して体内バランスを調整できることも生体理論で立証されている。
【００２２】
評価システム１は、人体２の感情や行動から現れる体内エネルギー状態を判定して生体理論に基づき人体２の基本カラー３と動的カラー４を解析することができる。例えば、携帯電話機のユーザが電子メールで頻繁に使用する単語や言い回しを入力してユーザの基本カラー３と動的カラー４を解析することができる。
【００２３】
また、インターネット上のウエブページの検索傾向に基づいて、ユーザが興味をもつ品物やサービスや好みの店舗などの種類を特定し、ユーザの基本カラー３と動的カラー４を解析することができる。
【００２４】
さらに、ユーザの日々の行動パターンや、一日の時間の過ごし方を特定し、ユーザの基本カラー３と動的カラー４を解析することもでき、素早い行動やゆったりとした行動、品物、サービスの選択傾向からユーザ独自の性格を２つのマインドカラーにより推測定義することができる。
【００２５】
人間は、脳が事象を認識し次の感情に移行する段階で、怒り、悲しみ、憂い、喜び、の何れかが先に来るか、といった個体別の傾向をもっているので、評価システム１により体内エネルギー状態を生体理論で解析し色別に表現して人体２の感情や体質を推測することができる。
【００２６】
マインドカラー白の人は、すべてのバランスがニュートラルなので、せせこましい怒りにかられたり、妬みや憂いに悩まされたり、恐れにおびえるここともなく、平常心を保ち易い。欲する食べ物や情報も、出来る限り刺激の少ないもの、素材のしっかりしたものを望むという性質である。
【００２７】
マインドカラー青がかかっている人は、冷静で慈悲深く、教育心に溢れている場合が多い。それは悲しみと母性を刺激するホルモンをだし易い体質に偏っているためである。
【００２８】
マインドカラー赤の人は、開拓精神と闘争心を持っている。これは、人がポジティブの状態であれば「こつこつ」、「やる気」を刺激するホルモンに依存するが、人がネガティブの状態であれば、怒りと忍耐を推進する感情を刺激するホルモンに依存しているからである。
【００２９】
上述したマインドカラーの人達は、自分の体質に合った食べ物や情報を欲しており、自分の体質が行き過ぎたときには、辛くても反対側の色に属する食べ物や情報を受け入れるように行動する場合が多い。
【００３０】
このような行動は、脳科学の分野でも、「心は、脳の中にある」というように、脳学者の主説となっている。このように人の性格を例えば１２種類のカラーに分別し、それぞれの人物の性格に合った対応を人工知能などのシステムへ学習させることもできる。
【実施例１】
【００３１】
図２は本発明の実施例１の人体カラーの数値的評価システムとしての数値的感性評価システム１６（以下、単に「感性評価システム１６」と略記する。）の模式的な系統図である。例えば、感性評価システム１６は、顧客製品のプラットホームに個別対応する意味ネットワーク２１と特化プログラム２２とを融合させ、感性推論部１９、データベース１５ａ、人工知能対話エンジン１７を備える。
【００３２】
感性評価システム１６は、対話入力部８ａからテキストによる文章を入力し、人工知能対話エンジン１７を介して入力した文章の言葉を意味分析部１８で意味分析する。意味分析部１８から意味分析した言葉を感性推論部１９により感性解析を実行する。  
【００３３】
また、感性評価システム１６は、生体理論に基づく色辞書１１ａと、音相理論に基づく音相辞書１１ｂと、感性推論演算処理部１３ａとを備え、色辞書１１ａ又は音相辞書１１ｂに基づいて言葉の感性を解析する。
【００３４】
感性推論演算処理部１３ａは、上述した怒り、悲しみ、憂い、喜びのような感情を表現する色情報としての動的な感性結果１２ａを出力する。例えば、嬉しい色情報や悲しい色情報をデータベース１５ａに出力する。
【００３５】
データベース１５ａは、例えば、約３０万の言葉や定型文を記憶する１．４メガバイト程度のハードディスクドライブで構成できるが、３０万の言葉を記憶できる手段であれば他の記憶装置を用いても構わない。
【００３６】
データベース１５ａは、動的な感性結果１２ａに基づいて抽出した返信文章を人工知能対話エンジン１７を介して、対話出力部２０へ出力する。返信文章はテキストでも音声でも対応することができるが、本実施例ではテキストを用いた対話システムとして説明する。
【００３７】
テキストによる人工知能対話エンジン１７は、会話をしながら個人情報を収集し、会話に反映する、学習型対話形式の人工知能システムである。例えば、電子メールをテキストマイニング(形態素解析)処理を実行して、個々の言葉を音相辞書１１ｂで音相解析し、文章から情緒を解析し、対話で対応することができる。
【００３８】
ここで、音相辞書１１ｂは、所定の言語表現を構成する音声表現をその基本的な構成要素の一つである子音と母音の一方又は双方の組合わせによって表現される発音最小単位に分解し、言語表現を統計的手法によって分析することで得られる発音最小単位の有する１つまたは複数のイメージを音相理論に基づき数値化するイメージ評価に用いる辞書を用いることができる。
【００３９】
また、ユーザ自身の日々の行動や、人工知能対話エンジン１７からの質問への返答、アクセスしているウェブの傾向などを収集し、生体理論を利用する色辞書１１ａによりユーザの性格を分類し、会話の対応を変化させるシステム(例えば、マインドカラー分析システム)を提供することもできる。
【００４０】
さらに、音相解析とマインドカラ分析を系統立てて、基本意味ネットワークを構築することもでき、各種サービスや製品を提供する顧客のプラットホームへ個別対応する人体カラーの数値評価システムを応用する製品を提供することができる。
【００４１】
例えば、人体カラーの数値評価システムを携帯電話機、携帯情報端末（ＰＤＡ）、デ
ジタル家電などに搭載し、これら製品を使用するユーザの感性を汲み取ることで的確又は個別対応の会話を提供し、多様なユーザ感性を満足させることができる。
【００４２】
人体カラーの数値評価システムを実装した製品のターゲットユーザー層に合致する特化意味ネットワークをコンピュータサーバに構築することもでき、また製品のプラットホームに合わせた会話プログラムのカスタマイズを実施することもできる。要は、各プラットホームの企画に合致する特化プログラムを容易に提供することができる。
【００４３】
本実施例の生体理論を用いた人工知能対話を例示すると、「戦ってかつはたやすく勝ちを守るは難し」と入力された場合、文章から言葉を自動的に切出す。例えば、単語辞書を用いて文章から言葉を抽出し、各言葉に色を決定することができる。
【００４４】
入力された文章は、単語毎に括弧で括った色に該当する。例えば、「戦って(赤)かつ(赤)はたやすく(白)勝ち(赤白)を守る(緑)は難し(藍)」と対応付けされ、各色を数値演算して基本カラーと動的カラーを決定することができる。
【００４５】
同様に、「小事にかかわって大事を忘れるなという文章を入力すると、「小事(青)にかかわって（緑)大事(藍)を忘れるな(白)」と各言葉に色が決定される。
【００４６】
また、生体理論を用いた人工知能対話では、人工知能の出力部から「今あなたは○○○な服がラツキです。」と表示させて、ユーザの体内エネルギー状態に合致した色又は色を想起させる柄の服をすすめる事ができる。
【００４７】
この場合、生体理論は、人体の基本カラーに基づき基本的な体質に合致する「○○○」部の色を決定し対応語を選択している。なお、「○○○」部を除く文章は定型文であり出力辞書に記憶されている。
【００４８】
さらに、ユーザから「今夜は（○○○な気分だから）○○○したいね。」という言葉が入力された場合は、生体理論を機能させて「今夜」から時間帯の色を解析し、「○○○」から行動の色を解析し、「したいね」から欲求の色を決定し、基本カラーと動的カラーとを演算処理してから現時点のユーザの色を決定することができる。
【００４９】
勿論、定型文を辞書へ追加するほど、人工知能対話のバリエーションが増加し、ユーザの欲求をさらに満足させることができる。
【００５０】
図３の系統図を参照して、人体カラーの数値評価システムを実装した製品の特化意味ネットワークのビジネスモデルを説明する。  
【００５１】
特化意味ネットワーク２３は、マーケット別、ターゲットユーザ別、サービスモデル別、プラットホーム別に、意味ネットワークをカスタマイズしてコンピュータサーバに構築し、特化意味ネットワークの情報をコンピュータサーバ上のサービスモデル２４で解析する。
【００５２】
サービスモデル２４は、ナビゲーションモデル２８と、エンターテイメントモデル２９と、セルフミラーリングモデル３０をコンピュータサーバ上に備え、ナビゲーションモデル２８が、情報の検索機能やユーザと情報のマッチング機能を発揮することができる。
【００５３】
エンターテイメントモデル２９は、アミューズメント製品でゲームへの応用例としてバーチャルペットの性格や、キャラクターパラメータ（例えば、攻撃的か防御的かを定める）や、育成キャラクタや、話し相手などを仮想することができる。
【００５４】
セルフミラーリングモデル３０は、今まで気づかなかった自分（ユーザ）の性格、感情、嗜好が確認することができ、新たに発見した自分自身の性格、感情、嗜好に合致する育成キャラクタや、話し相手や、秘書などを推測することもできる。
【００５５】
本実施例では、ナビゲーションモデル２８と、エンターテイメントモデル２９と、セルフミラーリングモデル３０の解析結果が重畳する育成キャラクタ、話し相手、秘書の各情報を手がかりにユーザ嗜好の品物やサービスを推測し、プラットホーム２６へフィードバックすることができる。
【００５６】
プラットホーム２６は、各種製品を含み、パーソナルコンピュータ、携帯情報端末（ＰＤＡ）、携帯電話機、携帯ゲーム機、カーナビゲーションシステム、次世代情報端末、及び次世代家電製品が該当する。本実施例によりユーザの性格、感情、嗜好が確認することができるので、例えば、次世代家電製品ネットワーク用のオペレーションシステムの基本思想を提案（又は出力）することができる。
【００５７】
上述したサービスモデル２４は、コンピュータサーバの編集部２５の機能により、テキストや画像情報の加工作業により提供情報をサービスモデルのコンピュータサーバへ発信することができる。
【００５８】
なお、サービスモデル２４は、ユーザの嗜好を色辞書を通して汲み取りながら、人体カラーの評価システム付きの製品を改良し、マーケット２７に対してあらゆるデジタル環境へ提供することができる。
【００５９】
図４は、カラーチャート４０から色情報を決定するフローを説明する流れ図である。人体カラーの数値評価システムに用いる色辞書は、例えば、１番から１２７番までのカラーコードを備えるカラーチャート４０の中から色情報を出力するように構成している。
【００６０】
カラーチャート４０は、コンピュータテーブルの中心にカラーコード６４番の白色３９を配置し、テーブルの後方にカラーコード１０１番の赤色３１を配置し、テーブルの前方にカラーコード１０番の青色３３を配置し、テーブルの前方と中心の間にカラーコード５８番の緑色３２を配置する。
【００６１】
青色３３のカラーコード１０番の６辺に隣接する２番、３番、９番、１１番、１８番、１９番を含む青グループ３３ａには、青グループ３３ａに属する８色のカラーコードが配置され、赤色３１のカラーコード１０１番の６辺に隣接する９０番、９１番、１００番、１０２番、１１０番、１１１番を含む赤グループ３１ａには、赤グループ３１ａに属する９色のカラーコードが配置されている。
【００６２】
同様に、緑色３２のカラーコード５８番の３辺に隣接する４６番、５９番、７１番を含む緑グループ３２ａには、緑グループ３２ａに属する１０色のカラーコードが配置され、白色６４のカラーコード６４番の６辺に隣接する白系統のカラーコードも８色から１２色の範囲で配置されている。
【００６３】
また、カラーチャート４０は、赤色から紫色まで識別できるカラーコードを有し、人体の動作と物、人体と性質から言葉の色を特定することができる。例えば、「言う」という言葉と、「与える」という言葉から黄色の色情報を出力するように構成する。なお、音相辞書でも同一の色情報を出力する場合もある。
【００６４】
カラーチャート４０は、人体の動作と物や人との関係から色を特定することもできる。例えば、物や人に始動を吹き込むような赤色で動作や人を励ます激しい色を出力し、創造性を惹起するオレンジ色で動作を継続、忍耐の色を出力し、快楽を与える放射させる黄色で人に言う（伝達）ような色を出力するように構成することができる。
【００６５】
同様に、物や人とのバランスから、人に重点させるような緑色で人に合う、集うような色を出力し、人に奉仕する、守るような青色で人を介護、優しい色を出力することができる。
【００６６】
さらに、カラーチャート４０は、人間の口や耳などの感触にかかわる動作を刺激する色情報を出力することもできる。例えば、人から一方的でない関係が生じる場合に第三者の発言を聞くような緑色を出力し、発言が一方的ではないが黄色ほど第三者に影響を及ぼさない青色を出力し、人への影響が強い黄色で言うという動作を促す色を出力する。
【００６７】
図左側に示した流れ図の色辞書処理は、カラーチャート４０の中から最終的に８から１２色のグループに言葉を分類する分類処理ＳＴ３５と、ユーザの嗜好（色情報）を反映して言葉辞書を更新する言葉更新処理ＳＴ３６と、人工知能対話エンジンに色情報を渡す処理ＳＴ３７と、人工知能対話エンジンから対話を出力する対話出力処理ＳＴ３８をコンピュータ上で実行し、メインルーチンへ復帰するように構成されている。
【００６８】
図５の色対応関係図を参照して、文章中の言葉と言葉との対応関係を説明する。例えば、テキスト中に「あからさま」という言葉と「介護する」という言葉が含まれている場合に、色辞書から赤色と青色を抽出し、ユーザの興奮状態、肉体的、競争的、指揮者、勝利者、物事を成し遂げる勇気、意志力、性的、活気に満ちている、事業家などのカテゴリのパラメータを調整することができる。
【００６９】
色辞書は、色番号のカラーコードとテキスト文章の言葉とのコードマッチング処理を実行し、赤色に属する単語や定型文を出力することができ、第１の色情報４１の赤色４１ａと第２の色情報４２の青色４２ａ基づき、色相演算結果部４３へ緑色の色情報４３ａを出力する。
【００７０】
色対応関係を例示すると、第１の色情報が赤色４１ａの場合（又は赤色行）、第２の色情報（又は列）が赤では赤を、黄色ではオレンジ色、緑色では黄色、青色では緑色、藍色では紫色、紫色では紫色を出力する。
【００７１】
同様に、第１の色情報４１のオレンジ色（又はオレンジ色行）と第２の色情報４２の黄色に基づき、オレンジ色の色情報を出力し、緑色では黄色、青色では緑色、藍色では緑色、紫色では緑色を出力する。
【００７２】
同様に、第１の色情報４１の黄色（又は黄色行）と第２の色情報４２の黄色に基づき、黄色の色情報を出力し、緑色では黄緑色、青色では深緑色、藍色では深緑色、紫色では深緑色を出力する。
【００７３】
同様に、第１の色情報４１の緑色（又は緑色行）と第２の色情報４２の緑色に基づき、緑色では緑色、青色では深緑色、藍色では藍色、紫色では青色を出力する。
【００７４】
同様に、第１の色情報４１の青色（又は青色行）と第２の色情報４２の青色に基づき、青色では青色、藍色では藍色、紫色では青紫色を出力し、第１の色情報４１の藍色と第２の色情報４２の紫色に基づき、紫色を出力し、第１の色情報４１の紫色と第２の色情報４２の紫色に基づき、紫色を出力する。
【００７５】
また、ネガティブな人間の衝動や行動が自分とその周辺に悪影響を及ぼす言葉は、色辞書の黒からグレー色に該当し、苦しい（グレー）、殺す（黒）、欲（グレー）、忘れる（グレー）、放漫（グレー）などが存在し、人間の煩悩はグレーに該当する。
【００７６】
一方、ポジティブな人間の行動のスムーズさや、自然の美しさを示す言葉は、たやすい、素早い、夜明け、光、魅力、神などは白色を示す傾向がある。また、朝（白色）から深夜３時（紫色）まで、色分類は変動し、何時一番働くかにより、色分けが連動する。
【００７７】
もし、ユーザがデザイナーである場合は、深夜から明け方までの活動が紫白の色情報が色辞書から出力される場合がある。例えば、「戦って勝つはた易く」、「勝ちを守るは難し」という文章を解析する色辞書は、言葉を分割し「戦って」を赤色、「勝つは」を赤色、「た易く」を白色、「勝ち」を赤白色、「守る」を緑色、「は難し」を藍色に色分けする。
【００７８】
さらに、「小事にかかわって大事を忘れるな」という文章を解析する色辞書は、言葉を分割し「小事」を青色、「にかかわって」を緑色、「大事」を藍色、「を忘れるな」を白色に色分けする。なお、諺を色に分類して色言葉セラピを構成することもできる。
【００７９】
本実施例では、現時点の動的カラーに対応して他の要素を参照することができる。例えば、曜日に関連して月曜日が白色、火曜日が赤色、水曜日が紫色、木曜日が水色、金曜日が緑色、土曜日が白色、日曜日が黄色の色情報を色辞書から出力することができる。
【００８０】
なお、意味の薄い漢字や意味からイメージが捕らえ難い言葉は、音相表から複数の色イメージを抽出し色を決定することもできるが、Ｒ色コードが２３８、Ｇ色コードが２３２、Ｂ色コードが１１７の複数の色コードから黄色を決定することもできる。
【００８１】
また、季節に適用した言葉も参照することもできる。例えば、春はパステルカラーとしての白色混じりの色情報を出力し、夏は青色でクール感覚を色情報を出力し、秋は暖色の色情報を出力し、冬は白色若しくは暖色の色情報を出力するように色辞書を構成することができる。
【実施例２】
【００８２】
図６は、本発明の実施例２の色情報からコメントを生成するフローを示す流れ図である。コンピュータ上で実行する人体カラーの数値評価システムは、入力部から「激しい」言葉又は行動を入力処理ＳＴ４４し、次ページのカラーチャートを基本にカラーチャート番号を決定するＳＴ４５。
【００８３】
また、カラーチャート番号で指定する色をＲＧＢや３原色を表示する色要素情報のパラメータに分解して色辞書へ入力するＳＴ４６。色辞書は色要素情報に基づき色情報を言葉辞書へ出力するＳＴ４７。この色情報に基づき言葉辞書（例えば、ＲＧＢＫ辞書）をグループ化し、言葉辞書に対応する人体の身体面、感情面、職業などのパターンを推定処理ＳＴ４８することができる。
【００８４】
言葉辞書からユーザの選ぶ色、ユーザの使う色又は色の組合せでユーザの基本カラー（基本カラー）を元に解析処理ＳＴ５１する。ＲＧＢ言葉辞書のパターンに対応させたコメントをコメント辞書から取出し定型パターンの要素テキストのブランクへ挿入処理ＳＴ４９する。
【００８５】
さらに、人体カラーの数値評価システムは、出力部を通してコメント付きの要素テキストを出力するＳＴ５０。コメント付き要素テキストは、テキスト表示、ボイス表示、ミュージック表示、及びキャラクタ表示などの色を主張する言葉を返答し、言葉の性格から色を特定し、特定された色に対応する色系統のコメントを返答するという評価システムを提供することができる。
【００８６】
図７は、人体カラーの数値評価システムを用いた言葉評価システム５２の処理の流れ図である。言葉評価システム５２は、例えば、言葉がキーボード入力を通して言葉入力処理ＳＴ５３され、色辞書により言葉に色付処理ＳＴ５４をする。
【００８７】
色付処理ＳＴ５４で選択した色情報を言葉辞書５８へ送信し、予め言葉辞書５８に登録した各色情報に対応する文章５９を色付処理ＳＴ５４へ返信する。例えば、色情報に対応する機嫌がよい文章５９ａや魅力的な文章５９ｂを色付処理ＳＴ５４へ返信する。
【００８８】
また、言葉辞書５８は、色付け処理ＳＴ５４から送信された色情報を数値演算部６０に転送する。数値演算部６０は、例えば、黄色６０ａの色情報（１０１００２）にオレンジ色６０ｂの色情報（１００３０１）を加算し、色情報の数（２）で除算し回答の色情報をデータベースで構成する出力辞書６１へ出力する。
【００８９】
色付け処理ＳＴ５４から移行した文章色付つけ処理ＳＴ５５は、文章５９に含まれる重要ワード（言葉）に重み付けを施す。処理は、対応語選択処理ＳＴ５６に移行し、この重み付けされた文章に対応する文書の色情報を出力辞書６１へ転送する。
【００９０】
文章パターン単語埋め込み処理ＳＴ６２は、出力辞書６１に接続され、重み付けされた色の文章と、数値演算された言葉の色情報に基づいて、定型文章パターンのブランク領域に色情報に対応する言葉を埋め込み、完成した文章をテキスト又は音声などで表示する表示処理ＳＴ５７を実行する。
【００９１】
このように構成した言葉評価システム５２は、言葉を生体理論を用いた色辞書で色分類し、人体の体内エネルギー状態を判定し、この体内エネルギー状態に対応（気が利く／励ます／落ち着かせる）する対応語を文章化して表示処理ＳＴ５７することができる。
【００９２】
人体の体内エネルギー状態を色辞書で色別に整理し、ユーザの動作を動きのベクトルにより捉えることができる。例えば、白から赤までの色は、始動、活性に現れる状態を示し、オレンジ色は、持続に現れる状態をしめす。
【００９３】
同様に、黄色は、やわらかい、喜びや発散や与えに現れる状態を示し、緑色は、満足や他のものとの関係のバランスに現れる状態を示し、青色は、保守や停滞、学ぶ、守るやさしさの状態を示し、藍色は、教え、施す、整然な状態を示し、紫色は、固い、老人、及ぶ、活動が終わる状態を示す。
【００９４】
また、複数の言葉を含む文章では、例えば、言い(黄)含める(緑)が緑よりの黄色を示し、言い(黄)始める(白赤)がパステルグリーンを示し、言い(黄)争う(赤)がオレンジ色を示し、言い(黄)合う(緑)が黄緑を示し、言い(黄)放つ(黄色)が黄色を示し、言い(黄色)及ぶ(紫)が紫色を示す。
【００９５】
同様に、言い(黄)終える(紫)が紫色を示し、デートという言葉は、わくわく(黄色)、人との関係(緑)を想起させ、黄緑を示し、恋と言う言葉は、愛の始動を意味し、喜びの白、赤、黄からパープルピンクを示す。
【００９６】
さらに、漢字の辺や作りの構成から色を決定することもできる。例えば、「食へん」は食欲を想起させ、オレンジ色を示す。「木へん」は植えるを想起させ、緑などを示す。
【００９７】
上述したＳＴ４７で用いる色辞書は、音相理論と異なり言葉の持つ意味合いを解析することができる。例えば、大和言葉の「いとおかし」は、音相理論ではニュートラルの状態を表す文章と判定されるが、生体理論を用いた色辞書では、人体の体内エネルギーがポジティブと判定すると、素敵、興味深い、重要という感性を導くことができる。一方、人体の体内エネルギーがネガティブと判定すると、奇妙だ、恐ろしいという感性を導くことができる。
【００９８】
同様に、音相理論は、文章の読み（又は称呼）に基づいて感性を表現するため、「ツウキンカイソク」という文字列を音相判定するとニュートラルな感性を導き、現代の製品に対応できない場合がある。一方、生体理論に基づく色辞書で色分けすると、「ツウキン」から導かれる感性と、「カイソク」から導かれる感性と、を各々色付けして色を合成して判定結果を言葉辞書から抽出するので、より正確な人体カラーの数値的評価が可能となるという利点がある。
【００９９】
また、生体理論は、環境、体、感情、現時点での人体の状態（快か不快か）を数値を用いて表現することができる。
【実施例３】
【０１００】
図８は、本発明の実施例３の人体カラーの数値評価システムに用いるオーラ可視化システム６３の模式的な正面図である。オーラ可視化システム６３は、入力部６７からインターフェース６６を通して電気信号を受信し画像処理した映像を表示するディスプレイ６４を備え、表示しているオーラの色情報をインターフェース６６から分岐させて人体カラーの数値評価システムの色情報入力部８１に転送させることができる。
【０１０１】
上述したオーラの色情報はインターフェース６６から分岐させて受信するように構成したが、本発明はこの構成に限定されることはなく、例えば、入力部６７を人体カラーの数値評価システムに直接接続し、電気信号に変換させても構わない。
【０１０２】
図８の正面図を参照して、オーラ可視化システム６３は、入力部６７の表面に人物の手６８を載せて人物の生命データを測定することができる。
【０１０３】
また、棒グラフ７１を基礎チャクラの赤、棒グラフ７２を臍チャクラのオレンジ、棒グラフ７３を鳩尾チャクラの黄色、棒グラフ７４を心臓チャクラの緑、棒グラフ７５を咽喉チャクラの青に各々対応させてグラフィック表示させることができる。
【０１０４】
さらに、棒グラフ７６を第３の目チャクラの藍、棒グラフ７７をトップチャクラの紫に各々対応させてグラフィック表示させることができ、スペクトルバー７９にすべてのチャクラの総合評価をグラフィック表示させることができるが、人物の生命データを測定し、人体のオーラチャクラ分析を以下の如く処理しても構わない。
【０１０５】
オーラ可視化システム６３は、生体自己制御センサーによって人物の生命データを測定することができる。このデータは、特定の感情や気力の状態をリアルタイムで分析する。
【０１０６】
このオーラチャクラフォトおよびレポートは、ユーザに正確なバイオデータを多彩で視覚的なグラフ形式で表現することができる。このバイオデータは教育やエンターテイメントに利用するように構成することもでき、人体の体内エネルギー状態の客観的な判断資料に用いることもできる。
【０１０７】
人物の手６８は、小指を電極６７ａと略縦方向に並ぶ２つの電極へ、薬指を電極６７ｂと略縦方向に並ぶ３つの電極へ、中指を電極６７ｄと略縦方向に並ぶ３つの電極へ、人差し指を電極６７ｅと略縦方向に並ぶ３つの電極へ、親指を入力部６７の右側面に設けられた電極６７ｆと略縦方向に並ぶ２つの電極へ接触させて、体内の五臓六腑の状態を示す信号をインターフェース６６へ送信する。
【０１０８】
ディスプレイ６４に表示されているオーラカラーは、人体の性格、特徴およぴ特性を反映することができる。
【０１０９】
濃い赤色は、物埋的、勤勉、力、現実的、活気がある、落着きがある、強さ、スタミナの活性度を示す。
【０１１０】
赤色は、刺激、物理的、精力的、競争心の強さ、勝利的、自制心、性的な力、企業家の活性度を示し、オレンジ色は、生産的、物理的そして創造的な表現、冒険者、ビジネス、楽しみの活性度を示す。
【０１１１】
濃い黄色は、分析的、知競人、志向性の詳細、論理的、構造を持つ、科学的の活性度を示す。黄色は、遊び好き、明るい、おおらか、創造的、知的、愉快、好奇心の強い、活発的の活性度を示す。緑色は、社交的、自然、気楽、調和、教師、話好き、理解が速いことの活性度を示す。
【０１１２】
獲い緑色は、理解が速い、ゴール指向である、杜交的、官能的、話好き、まとめ役の活性度を示す。青色は親切、敏感、愛情に満ちている、手助けする、忠実、平和、サービス心、養育の活性度を示す。
【０１１３】
藍色は、明瞭、平静、深い感情のこもった、愛情に満ちている、忠実、精神的価値観、芸術的の活性度を示す。すみれ色は、直感的、芸術的、官能的、理論派、先進的、夢想的、カリスマ的、革新的の活性度を示す。
【０１１４】
薄紫色は、想健的、神秘的、幻想的、スフト、敏感、時々ボーットしているの活性度を示す。白色は、並外れている、彩質転換、想健的、平穏、より高い次元、霊感の強いことの活性度を示す。
【０１１５】
図右側に示した正面図は、ディスプレイ６４のオーラ全体像６５を拡大表示した映像である。上述したオーラ可視化システム６３は人物の手６８から五臓六腑のエネルギー状態をカラー表示したが、オーラ全体像６５では不図示の撮像装置を用いて人物６５ａの上半身から放射されるオーラ６５ｂをカラー表示し、オーラの強さや人物６５ａのカラーを決定している。このオーラ６５ｂの大きさは人物６５ａとオーラ境界６５ｃとの距離で判断することができる。
【０１１６】
オーラ全体像６５のるオーラ６５ｂは、ディスプレイ６４に表示されているオーラカラースペクトル７８のレベルゲージ８０の矢印が示すオレンジ色であるスペクトルバー７９には下から白、青、緑、黄、オレンジ、赤の６色を順番にカラー表示している。
【０１１７】
また、スペクトルバー７９は、上述した６色は勿論、各色間の中間色も表示し、人物６５ａの状態を表示している。人物６５ａは事象に対応して感情を変化させているので、オーラカラースペクトル７８のレベルゲージ８０も感情の変化に応動して上下に移動する。
【０１１８】
リアルタイムモニター６９は棒グラフで表示し、現在の色がオーラカラースペクトル７８に対応させてオレンジに変化している。棒グラフの高さは、オーラ境界６５ｃやオーラパワー７０に比例して上下に変化する。図示した棒グラフはレベル８０を少し超えた高さである。
【０１１９】
ディスプレイ６４の上段に位置する７個の棒グラフは、人物６５ａの少なくとも５臓器に対応するオーラパワーを色と大きさで表示している。上述した６色のオーラカラーの活性度を視覚的に表現している。
【０１２０】
左端の棒グラフ７１は赤をレベル１００で表示し刺激の活性度が高く、右隣の棒グラフ７２は赤をレベル１００より低く表示し刺激の活性度が低い、さらに右隣の棒グラフ７３は黄をレベル１００で表示し遊び好きの活性度が高い、さらに右隣の棒グラフ７４は緑をレベル１００で表示し社交的の活性度が高い。
【０１２１】
同様に、棒グラフ７４の右隣の棒グラフ７５は青をレベル１００で表示し親切の活性度が高い、さらに右隣の棒グラフ７５は青をレベル１００で表示し親切、敏感の活性度が高い、さらに右隣の棒グラフ７６も青をレベル１００で表示し親切、敏感の活性度が高い、さらに右隣の棒グラフ７７は青をレベル１００より低く表示し親切、敏感の活性度が少し低いことを各々表示している。
【実施例４】
【０１２２】
図９は、本発明の実施例４に用いる生体理論に基づく感性の抽出法を示す図である。生体理論モデル２４ａは、人が接する情報２８ａと、家や物のような人が利用する環境２９ａと、自分の性格、感情、嗜好のような感性３０ａを色分けして、管理することができる
【０１２３】
また、生体理論モデル２４ａは、情報２８ａ、環境２９ａ、感性３０ａが交差する交差情報８５をコンピュータで演算処理して、今の感性の抽出を実行することができる。
【０１２４】
上述した交差情報８５を分析し、プロデュースマネージメントの基本思想に反映させることで、マーケット２７に対してあらゆる環境への（感性を）提供することができる。
【０１２５】
例えば、各種プロダクト展開２６ａとして、人体の体内エネルギーに適した所定色のコップ、所定色の文房具、所定色に適した人事マネージメント、所定色に適した新規事業、所定色に適した医療などの展開を色要素別に感性を導くように色辞書８６を更新することができる。
【実施例５】
【０１２６】
図１０は、本発明の実施例５に用いる色と性格と身体的関係性を示す図である。人体の体内エネルギー若しくはチャクラを把握することは、より多くの体内バランス及びより高い体内エネルギーに対応させることができる。
【０１２７】
人体の上頭部に位置するトップチャクラは、紫色のオーラを発し、直観、精神性、啓豪に相当する体内エネルギーを表わす。例えば、人のヴィジョンに係る脳、神経系、の状態を表現する。
【０１２８】
人体の目の間に位置する第３の目チャクラは、藍色のオーラを発し、直観、先見の明、芸術的又は創造的な考えに相当する体内エネルギーを表わす。例えば、人の示唆に係る目や神経系や脳の状態を表現する。
【０１２９】
人体の喉に位置する咽喉チャクラは、青色のオーラを発し、コミュニケーション、スピーチ、社会能力口頭及び情緒的な表現に相当する体内エネルギーを表す。例えば、人のサポートに係る肺、喉、気管支、音声の状態を表現する
【０１３０】
人体の心臓の周りに位置する心臓チャクラは、緑色のオーラを発し、コミュニケーション、スピーチ社会能力に相当する体内エネルギーを表す。例えば、人のコミュニケーションに係る心臓、肺、胸、循環、腕手の状態を表現する。
【０１３１】
人体の鳩尾に位置する鳩尾チャクラは、黄色のオーラを発し、個人の力、創造的又は知的な考えに相当する体内エネルギーを表す。例えば、人の知的陽気に係る胃、肝臓、胆嚢の状態を表現する。
【０１３２】
人体の臍（へそ）の下に位置する臍チャクラは、橙色（オレンジ色）のオーラを発し、生命エネルギーの創造的で、生産的で、情緒的な表現に相当する体内エネルギーを表す。例えば、人の創造的、生産的な状態や腸、脾臓、消化器の状態も表現する。
【０１３３】
人体の背骨の終端に位置する基礎チャクラは、赤色のオーラを発し、生命エネルギー、肉体的活動、情緒的な強さ、自制心、性的関心に相当する体内エネルギーを表す。例えば、人のリーダーシップ、関節、筋肉、心臓、血液、神経の状態を表現する。
【０１３４】
これら、トップチャクラ、第３の目チャクラ、咽喉チャクラ、心臓チャクラ、鳩尾チャクラ、臍チャクラ、基礎チャクラは、図８のオーラ可視化システムにより肉眼で確認することができ、そのカラー情報を数値化して「０」から「１００」までの範囲でオーラの強さを表示することができる。
【０１３５】
なお、本発明の実施例に記載された、作用及び効果は、本発明から生じる最も好適な作用及び効果を列挙したに過ぎず、本発明による作用及び効果は、本発明の実施例に記載されたものに限定されるものではない。
【産業上の利用可能性】
【０１３６】
人体の体内エネルギー状態を生体理論に基づき色分けし、マインドカラーを推定することによって、インターネット上の会話エージェントと組み合わせ、インターネット上の情報（店舗／観光／ウェブ辞典／サービスなど）からユーザが必要としているタイムリーな情報をモバイル端末（携帯電話／ＰＤＡ／カーナビゲータなど）に提供する用途に適用できる。
【０１３７】
また、携帯電話に組み込んで、メール内容履歴などからユーザーの嗜好、情緒を汲み取り、秘書機能を備えた相談相手としての機能を発揮する用途に適用でき、メモリカードに組み込んで、メモリカードに蓄積されていく個人の嗜好を関連商品に活用する用途にも適用できる。
【図面の簡単な説明】
【０１３８】
【図１】本発明の人体カラーの数値的評価システムの模式的な系統図。
【図２】本発明の実施例１の数値的感性評価システム模式的な系統図。
【図３】本発明の実施例１の特化意味ネットワークの系統図。
【図４】本発明の実施例１の色情報を決定するフローを説明する流れ図。
【図５】本発明の実施例１に用いる色対応関係図。
【図６】本発明の実施例２の色情報からコメントを生成するフローを示す流れ図。
【図７】本発明の実施例２の言葉評価システム５２の処理の流れ図。
【図８】本発明の実施例３に用いるオーラ可視化システム６３の模式的な正面図。
【図９】本発明の実施例４に用いる生体理論に基づく感性の抽出法を示す図。
【図１０】本発明の実施例５に用いる色と人の性格と身体的な関係を説明する図。
【符号の説明】
【０１３９】
１…・数値的評価システム、２…・人体、３…・基本カラー、４…・動的カラー、７…・オーラチェック情報、８…・入力部、９…・生体理論、１１…・色辞書、１３…・色相演算部、１３ａ…・感性推論演算処理部、１４…・出力部、１５ａ…・データベース、１６…・数値的感性評価システム、１７…・人工知能対話エンジン、１８…・意味分析部、１９…・感性推論部、２０…・対話出力部、２１…・意味ネットワーク、２２…・特化プログラム、２３…・特化意味ネットワーク、２４…・生体理論モデル、２５…・編集部、５２…・言葉評価システム、５８…・言葉辞書、６０…・数値演算部、６１…・出力辞書、６３…・オーラ可視化システム、６４…・ディスプレイ、６６…・インターフェース、６７…・入力部、８１…・色情報入力部。
【図１】
2005128864.tif 000003
【図２】
2005128864.tif 000004
【図３】
2005128864.tif 000005
【図４】
2005128864.tif 000006
【図５】
2005128864.tif 000007
【図６】
2005128864.tif 000008
【図７】
2005128864.tif 000009
【図８】
2005128864.tif 000010
【図９】
2005128864.tif 000011
【図１０】
2005128864.tif 000012